(57)【要約】【課題】圏外離脱後に圏内に復帰した移動局を、再加入操作を行わずに、圏外離脱前に接続中であった専用チャネルに再接続させる。【解決手段】１以上の基地局１３を有する統制局１と、各基地局１３に接続可能な移動局２とで構成される無線通信システムにて、移動局２が、基地局１３の圏内で接続されていた専用チャネルの事案番号と、移動局２が圏内離脱後に各基地局１３のいずれかの圏内へ復帰した際に取得した専用チャネルの事案番号と、が一致するか否かを判別し、一致すると判別した場合に、判別した事案番号の専用チャネルに再接続するよう統制局１に要求し、統制局１が、移動局２からの要求に応じて、移動局２が一致すると判別した事案番号の専用チャネルに再接続させる。【選択図】図１
2009159414.tif 000002
【特許請求の範囲】
【請求項１】
１以上の基地局を有する統制局と、該各基地局に接続可能な移動局とから構成される無線通信システムにおける無線通信方法であって、
前記移動局が、前記基地局の圏内で接続されていた通信路の通信識別情報と、該移動局が前記圏内から離脱した後に前記各基地局のいずれかの圏内へ復帰した際に取得した通信路の通信識別情報と、が一致するか否かを判別する一致判別処理と、
前記移動局が、前記一致判別処理にて一致すると判別した場合に、該判別した通信識別情報の通信路に再接続するよう前記統制局に要求する処理と、
前記統制局が、前記移動局からの要求に応じて、該移動局が一致すると判別した通信識別情報の通信路に再接続させる処理とを有する無線通信方法。
【請求項２】
前記一致判別処理では、
前記移動局が前記基地局の圏内から圏外に離脱したことを検出し、
圏外に離脱したことを検出した場合、該離脱した圏内で接続していた通信路の通信識別情報を該移動局が具備する記憶部に書き込み、
前記移動局が前記基地局の圏外から圏内に復帰したことを検出し、
圏内に復帰したことを検出した場合、復帰した圏内で接続可能な通信路の通信識別情報を取得し、
該取得した通信識別情報と、前記記憶部に書き込んだ通信識別情報とが一致するか否かを判別することを特徴とする請求項１に記載の無線通信方法。
【請求項３】
前記一致判別処理では、前記移動局が復帰した圏内をカバーする基地局が報知する通信識別情報を取得することを特徴とする請求項２に記載の無線通信方法。
【請求項４】
前記移動局は、制御チャネルを介して前記通信識別情報を取得することを特徴とする請求項３に記載の無線通信方法。
【請求項５】
統制局によって統制される各基地局に接続可能な移動局であって、
前記基地局の圏内で接続されていた通信路の通信識別情報と、該移動局が前記圏内から離脱した後に前記各基地局のいずれかの圏内へ復帰した際に取得した通信路の通信識別情報と、が一致するか否かを判別し、一致すると判別した場合に、該判別した通信識別情報の通信路に再接続するよう前記統制局に要求する移動局。
【請求項６】
前記基地局の圏内から圏外に前記移動局が離脱したことを検出する圏外離脱検出部と、
前記圏外離脱検出部にて移動局の離脱が検出された場合、該移動局が離脱前に接続されていた通信路の通信識別情報を該移動局が具備する記憶部に書き込む通信識別情報書込部と、
前記圏外離脱検出部にて離脱が検出された移動局が前記各基地局のいずれかの圏内に復帰したことを検出する圏内復帰検出部と、
前記圏内復帰検出部にて圏内への復帰が検出された場合、該復帰した圏内における通信路の通信識別情報を取得する通信識別情報取得部と、
前記通信識別情報書込部にて前記記憶部に書き込んだ離脱前の通信路の通信識別情報と、前記通信識別情報取得部にて取得した復帰後の通信路の通信識別情報と、が一致するか否かを判別する一致判別部と、
前記一致判別部にて一致すると判別された場合、該判別された通信識別情報の通信路への再接続を前記統制局に要求する再接続要求部とを有することを特徴とする請求項５に記載の移動局。
【請求項７】
前記通信識別情報取得部は、前記移動局が復帰した圏内をカバーする基地局が報知する通信識別情報を取得することを特徴とする請求項６に記載の移動局。
【請求項８】
前記通信識別情報取得部は、制御チャネルを介して前記通信識別情報を取得することを特徴とする請求項７に記載の移動局。
【請求項９】
統制局によって統制される１以上の各基地局に接続可能な移動局が基地局の圏内で接続されていた通信路の通信識別情報と、該移動局が前記圏内から離脱した後に前記各基地局のいずれかの圏内へ復帰した際に取得した通信路の通信識別情報と、が一致するか否かを判別する一致判別手順と、
前記一致判別手順にて一致すると判別した場合に、該判別した通信識別情報の通信路に再接続するよう前記基地局を統制する統制局に要求する手順とをコンピュータに実行させるプログラム。
【請求項１０】
前記一致判別手順では、
前記移動局が前記基地局の圏内から圏外に離脱したことを検出し、
圏外に離脱したことを検出した場合、該離脱した圏内で接続していた通信路の通信識別情報を該コンピュータが具備する記憶部に書き込み、
前記移動局が前記基地局の圏外から圏内に復帰したことを検出し、
圏内に復帰したことを検出した場合、復帰した圏内で接続可能な通信路の通信識別情報を取得し、
該取得した通信識別情報と、前記記憶部に書き込んだ通信識別情報とが一致するか否かを判別することを特徴とする請求項９に記載のプログラム。
【請求項１１】
前記一致判別手順では、前記移動局が復帰した圏内をカバーする基地局が報知する通信識別情報を取得することを特徴とする請求項１０に記載のプログラム。
【請求項１２】
前記一致判別手順では、制御チャネルを介して前記通信識別情報を取得することを特徴とする請求項１１に記載のプログラム。
【発明の詳細な説明】
【技術分野】
【０００１】
本発明は、無線通信方法、移動局およびプログラムに関する。
【背景技術】
【０００２】
一般的な移動局を有する無線通信システムでは、統制局が、専用チャネルを設定した後に、制御チャネルを介して、各専用チャネルをそれぞれ識別するための識別用事案番号を圏内に位置する移動局に報知する。
【０００３】
事案番号を報知された移動局では、その内からいずれかの事案番号を特定し、特定された事案番号が付与されている専用チャネルの周波数や通信スロットに固定するよう設定し、統制局で、移動局を設定された専用チャネルに接続させる。
【０００４】
しかし、専用チャネルに接続中の移動局が基地局の通信圏外に離脱したときに、その専用チャネルを開放する。このため、圏外に一旦離脱した移動局が基地局の通信圏内に復帰した場合、離脱前に接続されていた通信チャネルに再接続するための操作を移動局で行う必要がある。
【０００５】
このような移動局における再接続の操作を簡易化するための技術が提案されている。例えば、基地局を統制する統制局に登録されている移動局の位置情報に基づいて、その移動局を圏外離脱前の専用チャネルに再接続させる移動体通信システムが考えられている（例えば、特許文献１参照。）。この移動体通信システムでは、位置情報の変更を要求した移動局と、圏外離脱前に回線接続を要求した移動局とが合致し、かつ、その移動局が離脱前の専用チャネルに再接続するよう応答したときに、統制局が再接続処理を実行する。
【特許文献１】特開２００２−０７７９６６号公報
【発明の開示】
【発明が解決しようとする課題】
【０００６】
しかし、特許文献１に開示された移動体通信システムでは、圏外離脱前に接続されていた専用チャネルに再接続するには、再接続するための再加入操作を行う必要があり、その手間がかかってしまうという問題点がある。
【０００７】
また、この移動体通信システムでは、専用チャネルに再接続する際に、圏外離脱後に圏内に復帰した移動局に対する位置登録を基地局に要求する必要がある。そのため、専用チャネル再接続の手順において位置登録の手順を省略できないという問題点がある。
【０００８】
本発明は、上述した課題を解決するため、圏外への離脱後に圏内に復帰した移動局において再加入操作を行わずに、その移動局を圏外離脱前の専用チャネルに再接続するとともに、専用チャネル再接続の手順において位置登録の手順を省略することを目的とする。
【課題を解決するための手段】
【０００９】
上記課題を解決するために、本発明の無線通信方法は、１以上の基地局を有する統制局と、該各基地局に接続可能な移動局とから構成される無線通信システムにおける無線通信方法であって、前記移動局が、前記基地局の圏内で接続されていた通信路の通信識別情報と、該移動局が前記圏内から離脱した後に前記各基地局のいずれかの圏内へ復帰した際に取得した通信路の通信識別情報と、が一致するか否かを判別する一致判別処理と、前記移動局が、前記一致判別処理にて一致すると判別した場合に、該判別した通信識別情報の通信路に再接続するよう前記統制局に要求する処理と、前記統制局が、前記移動局からの要求に応じて、該移動局が一致すると判別した通信識別情報の通信路に再接続させる処理とを有する。
【００１０】
また、上記課題を解決するために、本発明の移動局は、統制局によって統制される各基地局に接続可能な移動局であって、前記基地局の圏内で接続されていた通信路の通信識別情報と、該移動局が前記圏内から離脱した後に前記各基地局のいずれかの圏内へ復帰した際に取得した通信路の通信識別情報と、が一致するか否かを判別し、一致すると判別した場合に、該判別した通信識別情報の通信路に再接続するよう前記統制局に要求する。
【００１１】
また、コンピュータに実行させるプログラムであって、統制局によって統制される１以上の各基地局に接続可能な移動局が基地局の圏内で接続されていた通信路の通信識別情報と、該移動局が前記圏内から離脱した後に前記各基地局のいずれかの圏内へ復帰した際に取得した通信路の通信識別情報と、が一致するか否かを判別する一致判別手順と、前記一致判別手順にて一致すると判別した場合に、該判別した通信識別情報の通信路に再接続するよう前記基地局を統制する統制局に要求する手順とをコンピュータに実行させる。
【発明の効果】
【００１２】
本発明によれば、１以上の基地局を有する統制局と、各基地局に接続可能な移動局とから構成される無線通信システムにおいて、移動局が、基地局の圏内で接続されていた通信路の通信識別情報と、移動局が圏内から離脱した後に各基地局のいずれかの圏内へ復帰した際に取得した通信路の通信識別情報と、が一致するか否かを判別し、一致すると判別した場合に、判別した通信識別情報の通信路に再接続するよう統制局に要求し、統制局が、移動局からの要求に応じて、移動局が一致すると判別した通信識別情報の通信路に再接続させる構成としたため、圏外への離脱後に圏内に復帰した移動局において再加入操作を行わずに、その移動局を圏外離脱前の専用チャネルに再接続できるとともに、専用チャネル再接続の手順において位置登録の手順を省略できる。
【発明を実施するための最良の形態】
【００１３】
以下、本発明の実施形態に従った無線通信システム（無線通信方法、移動局、プログラムを含む）を説明する。
【００１４】
まず、本実施形態の無線通信システムの構成について説明する。  図１に示すように、この無線通信システムは、統制局１と、この統制局１と通信可能な移動局２−１〜２−Ｍ（Ｍ：移動局の総数）と、から構成される。なお、以下では、移動局２−１〜２−Ｍをまとめて「移動局２」と総称する。また、Ｍは任意の自然数である。
【００１５】
統制局１と移動局２とが通信する際、その通信内容に応じて、異なる２つの通信路である「専用チャネル」と「制御チャネル」とがそれぞれ使用される。
【００１６】
「専用チャネル」とは、各種のデータや所定信号（例えば、呼接続用プロトコルに則ったメッセージ）を送信するための通信路である。この専用チャネルには、各専用チャネルを識別するための通信識別情報である「事案番号」がそれぞれ付与されている。この事案番号は、例えば、専用チャネルの各周波数、などでもよい。
【００１７】
また、「制御チャネル」とは、無線通信呼の接続、所定情報（例えば、統制局１に含まれる基地局の状態を示す情報）を送信するための通信路である。
【００１８】
統制局１は、統制台１１と、回線制御装置１２と、基地局１３−１〜１３−Ｎ（Ｎ：基地局の総数）と、から構成される。なお、以下では、基地局１３−１〜１３−Ｎをまとめて「基地局１３」と総称する。また、Ｎは任意の自然数である。
【００１９】
統制台１１は、所定の情報処理装置で構成され、基地局１３と移動局２との間で設定可能な通信路である専用チャネルの使用状況（使用中、未使用など）を管理する機能を有する。統制台１１は、基地局１３によって転送されてきた移動局２からの専用チャネルの接続要求に応じて、回線制御装置１２を制御し、専用チャネルを設定させる。このとき、統制台１１は、設定する専用チャネルの事案番号を決定し、回線制御装置１２に専用チャネルの設定を指示するとともに、決定した事案番号などの情報を含む「接続応答」を基地局１３へ送信する。接続応答の形式は限定しないが、例えば、移動局２からの接続要求に応じて専用チャネルを割り当てる場合、リンクチャネル割当メッセージでもよく、割当可能な専用チャネルの不足などにより割り当てない場合、リンクチャネル割当拒否メッセージでもよい。
【００２０】
なお、統制台１１の呼接続制御、サービス制御、位置登録の方法は一般的なものと同じである。例えば、位置登録であればＶＬＲ（Visitor Location Register）方式などに則って行えばよい。
【００２１】
回線制御装置１２は、統制台１１からの指示に従って、基地局１３と移動局２との間における専用チャネルの接続および開放を設定する。
【００２２】
基地局１３は、アンテナを介して移動局２と無線通信し、無線信号の変復調や送信増幅を行う。例えば、基地局１３は、制御チャネルを介して、接続要求の移動局２からの受信、接続応答の移動局２への送信などを行う。なお、基地局１３が移動局２を認証する方法は、一般的な認証方法と同じである。
【００２３】
移動局２は、携帯電話機などで構成され、利用者に各種の通信サービスを提供する。なお、専用チャネルへ接続するために、移動局２は、接続要求を基地局１３へ送信する。ここで接続要求の形式は限定しないが、例えば、リンクチャネル確立要求メッセージでもよい。
【００２４】
続いて、移動局２の構成を説明する。各移動局２−１〜２−Ｍはそれぞれ同一の構成を有するため、以下では移動局２−１を例に挙げてその構成を説明する。図２に示すように、移動局２−１は、制御部２１と、記憶部２２と、通信部２３と、表示部２４と、入力部２５と、音声入力部２６と、音声出力部２７とを有する。
【００２５】
制御部２１は、移動局２−１全体を制御する。また、制御部２１は、図３に示すように、圏外離脱検出部２１１と、圏内復帰検出部２１２と、事案番号書込部２１３と、事案番号取得部２１４と、一致判別部２１５と、再接続要求部２１６とを有する。
【００２６】
「圏外離脱検出部２１１」は、移動局２−１が基地局１３の圏内から圏外に離脱したことを検出する。「圏内復帰検出部２１２」は、圏外に位置していた移動局２−１が基地局１３の圏内に復帰したことを検出する。「事案番号書込部２１３」は、圏外離脱検出部２１１にて移動局２−１の圏外離脱を検出したときに、その離脱前に移動局２−１が接続されていた専用チャネルの事案番号を通信部２３で取得し、記憶部２２内の事案番号情報２２１に書き込む通信識別情報書込部である。「事案番号取得部２１４」は、移動局２が復帰した圏内で接続可能な専用チャネルの事案番号を、復帰した圏内をカバーする基地局１３から通信部２３を用いて取得する通信識別情報取得部である。「一致判別部２１５」は、事案番号取得部２１４で取得した復帰後の事案番号が、事案番号書込部２１３によって事案番号情報２２１に書き込まれた離脱前の事案番号に一致するか否かを判別する。「再接続要求部２１６」は、一致判別部２１５により事案番号が一致すると判別されたときに、判別された事案番号が付与された専用チャネルへの再接続を、通信部２３により統制局１に要求する。
【００２７】
図２に示した記憶部２２は、各種のデータやプログラムを記憶する。例えば、「事案番号情報２２１」を記憶する。この事案番号情報１２１は、移動局２−１が基地局１３の圏外に離脱した際に接続中であった専用チャネルの事案番号を示す情報である。通信部２３は、アンテナ（図示せず）を介した無線信号の送受信、無線信号の変復調、などを行う。表示部２４は、各種のデータを表示する。入力部２５は、利用者の操作に応じた信号を制御部２１に出力する。音声入力部２６は、マイクで集音した音声を電気信号に変換し、変換された電気信号をＡＤ（Analogue to Digital）変換した後に制御部２１へ出力する。音声出力部２７は、通信部２３で受信した通話先の音声信号をスピーカで放音する。
【００２８】
つぎに上記構成を有する無線通信システムの動作を説明する。この無線通信システムの通信制御（例えば、呼接続制御や位置登録）時の動作は、一般的な無線通信システムと基本的に同一である。そのため、以下では、本発明に特徴的な、基地局１３の圏内から圏外に離脱した移動局２が圏内に復帰したときに、離脱前に接続中であった専用チャネルに再接続する「再接続処理」を説明する。
【００２９】
図４に示すように、移動局２の圏外離脱検出部２１１は、「圏外離脱検出処理」を実行し、移動局２が基地局１３の圏内から圏外に離脱したか否かを判別する（ステップＳ１１）。判別の結果、離脱したと判別した場合（ステップＳ１１；Ｙｅｓ）、移動局２の圏外離脱を検出する。ここで、圏外離脱の検出方法は限定しないが、例えば、基地局１３から受信する無線信号の受信レベルが所定の閾値未満となったときに、圏外への離脱を検出する等の一般的な方法を用いればよい。
【００３０】
圏外離脱検出部２１１にて圏外離脱を検出すると、事案番号書込部２１３は、「通信識別情報書込処理」を実行し、圏外離脱前に接続中であった専用チャネルの事案番号を、記憶部２２内の事案番号情報２２１に書き込む（ステップＳ１２）。
【００３１】
また、圏内復帰検出部２１２は、「圏内復帰検出処理」を実行し、移動局２が基地局１３の圏内に復帰したか否かを判別する（ステップＳ１３）。復帰したと判別した場合（ステップＳ１３；Ｙｅｓ）、圏内復帰検出部２１２による移動局２の圏内復帰が検出される。続いて、事案番号取得部２１４は、「通信識別情報取得処理」を実行し、復帰した圏内で接続可能な専用チャネルの事案番号を通信部２３により取得する（ステップＳ１４）。ここで取得する事案番号は、移動局２が復帰した圏内の基地局１３によって、制御チャネル内に報知されている事案番号である。
【００３２】
そして、一致判別部２１５は、「一致判別処理」を実行し、復帰後事案番号取得部２１４が取得した事案番号のうちにステップＳ１２で書き込まれた事案番号（圏外離脱前に接続中であった専用チャネルの事案番号）と一致する事案番号が含まれている否かを判別する（ステップＳ１５）。含まれていないと判別した場合（ステップＳ１５；Ｎｏ）、制御部２１は、再接続処理を終了する。
【００３３】
一方、一致する事案番号が含まれていると判別した場合（ステップＳ１５；Ｙｅｓ）、再接続要求部２１６は、「再接続要求処理」を実行し、復帰した圏内において、統制局１が有する基地局１３に、離脱前と一致する事案番号の専用チャネルへの再接続を要求する（ステップＳ１６）。離脱前と一致する事案番号の専用チャネルは、移動局２が圏外に離脱する前に接続されていた専用チャネルと同一である。
【００３４】
再接続の要求先である統制局１では、「再接続応答処理」を実行する。すなわち、統制局１の統制台１１は、基地局１３から転送された再接続要求に応じて、要求元の移動局２と移動局２の復帰圏内の基地局１３との間における専用チャネルの割当を回線制御装置１２に行わせ、移動局２を圏外離脱前に接続されていた専用チャネルに再度接続させる。
【００３５】
以上で、「再接続処理」が終了する。なお、上述した一連の再接続処理によって再接続された専用チャネルにおける、通信形態や通信データは任意である。例えば、移動局２は、通話先との間で送信モードを交互に切り替えながら通話を行うプレストーク通信において、音声データを送受信してもよい。
【００３６】
以上説明したように、上述の実施形態によれば、無線通信システムは、圏内において専用チャネルに接続中であった移動局２が一旦圏外へ離脱し、その後圏内に復帰したときに、復帰後の圏内にて取得した専用チャネルの事案番号のうちに圏外離脱前に移動局２が接続中であった専用チャネルの事案番号に一致するものがあれば、その事案番号の専用チャネルに移動局を再度接続する。
【００３７】
これにより、圏外への離脱後に圏内に復帰した移動局２において再加入操作を行わずに、移動局２を圏外離脱前の専用チャネルに再接続できる。
【００３８】
また、本発明の実施形態によれば、無線通信システムは、圏外離脱後に圏内に復帰した移動局２を再接続させる際に、位置登録に関する手順を行わないから、位置登録の手順を省略して移動局２を再接続することができる。
【００３９】
なお、本発明の要旨を逸脱しない範囲で各種の変形が可能である。
【００４０】
移動局２の圏外離脱を検出するための「圏外離脱検出処理」は、移動局２で行うに限らず、統制局１にて行ってもよい。この場合、統制局１の基地局１３において、発信信号や着信応答信号を移動局２から受信した際の受信電波レベルを測定し、統制台１１への各信号の中継時に測定結果を送信する。そして、測定結果が所定閾値以下の場合に、統制台１１にて、移動局２が圏外に離脱したと判別する。
【００４１】
また、圏外に離脱したと判別した場合、統制台１１にて、「通信識別情報書込処理」を実行し、その移動局２が接続していた専用チャネルの事案番号をメモリ（図示せず）に書き込んでもよい。さらに、統制台１１にて、「圏内復帰検出処理」を実行し、移動局２の圏内復帰検出時に、「通信識別情報書込処理」にて書き込んだ離脱前の事案番号を移動局２に送信してもよい。受信側の移動局２では、統制台１１から取得した事案番号が、復帰圏内で報知されているか否かを判別し、報知されていると判別した場合に「再接続要求処理」を行えばよい。
【００４２】
なお、本発明においては、移動局２内の処理は上述の専用のハードウェアにより実現されるもの以外に、その機能を実現するためのプログラムを移動局２にて読取可能な記録媒体に記録し、この記録媒体に記録されたプログラムを移動局２に読み込ませ、実行するものであってもよい。移動局２にて読取可能な記録媒体とは、フロッピーディスク（登録商標）、光磁気ディスク、ＤＶＤ、ＣＤなどの移設可能な記録媒体の他、移動局２に内蔵されたＨＤＤ等を指す。この記録媒体に記録されたプログラムは、例えば、移動局２が有する制御部２１にて読み込まれ、制御部２１の制御によって、上述したものと同様の処理が行われる。
【００４３】
ここで、移動局２が有する制御部２１は、プログラムが記録された記録媒体から読み込まれたプログラムを実行するコンピュータとして動作するものである。
【００４４】
また、本発明の無線通信方法の一致判別処理では、移動局が基地局の圏内から圏外に離脱したことを検出し、圏外に離脱したことを検出した場合、離脱した圏内で接続していた通信路の通信識別情報を移動局が具備する記憶部に書き込み、移動局が基地局の圏外から圏内に復帰したことを検出し、圏内に復帰したことを検出した場合、復帰した圏内で接続可能な通信路の通信識別情報を取得し、取得した通信識別情報と、記憶部に書き込んだ通信識別情報とが一致するか否かを判別してもよい。
【００４５】
また、本発明の無線通信方法の一致判別処理では、移動局が復帰した圏内をカバーする基地局が報知する通信識別情報を取得してもよい。
【００４６】
また、本発明の無線通信方法の一致判別処理では、移動局は、制御チャネルを介して通信識別情報を取得してもよい。
【００４７】
また、本発明の移動局は、基地局の圏内から圏外に移動局が離脱したことを検出する圏外離脱検出部と、圏外離脱検出部にて移動局の離脱が検出された場合、移動局が離脱前に接続されていた通信路の通信識別情報を移動局が具備する記憶部に書き込む通信識別情報書込部と、圏外離脱検出部にて離脱が検出された移動局が各基地局のいずれかの圏内に復帰したことを検出する圏内復帰検出部と、圏内復帰検出部にて圏内への復帰が検出された場合、復帰した圏内における通信路の通信識別情報を取得する通信識別情報取得部と、通信識別情報書込部にて記憶部に書き込んだ離脱前の通信路の通信識別情報と、通信識別情報取得部にて取得した復帰後の通信路の通信識別情報と、が一致するか否かを判別する一致判別部と、一致判別部にて一致すると判別された場合、判別された通信識別情報の通信路への再接続を統制局に要求する再接続要求部とを有してもよい。
【００４８】
また、本発明の移動局の通信識別情報取得部は、移動局が復帰した圏内をカバーする基地局が報知する通信識別情報を取得してもよい。
【００４９】
また、本発明の移動局の通信識別情報取得部は、制御チャネルを介して前記通信識別情報を取得してもよい。
【００５０】
また、本発明のプログラムの一致判別手順では、移動局が基地局の圏内から圏外に離脱したことを検出し、圏外に離脱したことを検出した場合、離脱した圏内で接続していた通信路の通信識別情報をコンピュータが具備する記憶部に書き込み、移動局が基地局の圏外から圏内に復帰したことを検出し、圏内に復帰したことを検出した場合、復帰した圏内で接続可能な通信路の通信識別情報を取得し、取得した通信識別情報と、記憶部に書き込んだ通信識別情報とが一致するか否かを判別してもよい。
【００５１】
また、本発明のプログラムの一致判別手順では、移動局が復帰した圏内をカバーする基地局が報知する通信識別情報を取得してもよい。
【００５２】
また、本発明のプログラムの一致判別手順では、制御チャネルを介して通信識別情報を取得してもよい。
【図面の簡単な説明】
【００５３】
【図１】本発明の実施形態に従った無線通信システムの全体構成を示す図である。
【図２】図１に示した移動局の構成を示す図である。
【図３】図２に示した制御部の構成を示す図である。
【図４】再接続動作を示すフローチャートである。
【符号の説明】
【００５４】
１  統制局
１１  統制台
１２  回線制御装置
１３  基地局
２  移動局
２１  制御部
２２  記憶部
２３  通信部
２４  表示部
２５  入力部
２６  音声入力部
２７  音声出力部
２１１  圏外離脱検出部
２１２  圏内復帰検出部
２１３  事案番号書込部
２１４  事案番号取得部
２１５  一致判別部
２１６  再接続要求部
２２１  事案番号情報
【図１】
2009159414.tif 000003
【図２】
2009159414.tif 000004
【図３】
2009159414.tif 000005
【図４】
2009159414.tif 000006